(57)【要約】      （修正有）【課題】安定した検出効果が得られる検出部材を含むカードコネクタを提供する。【解決手段】カードコネクタ１００は、複数の端子溝１４１が形成されるハウジング１と、ハウジングの端子溝に収納される複数の導電端子３と、検出部材４０とを備える。前記検出部材は、ハウジングに固持される固持部４２と一対の弾力ビームを有する当接部４１と半田接続部４３とを含む第１検出端子４と、ハウジングに固持される固定部と前記当接部に接離可能な突出部と半田接続片５３とを含む第２検出端子５とを含む。電子カードが挿入される時、前記第２検出端子の突出部が前記第１検出端子の一対の弾力ビーム４１２の間に嵌合される。【選択図】図３
0003141134.tif 000002
【実用新案登録請求の範囲】
【請求項１】
複数の端子溝が形成されるハウジングと、
前記ハウジングの端子溝に収納される複数の導電端子と、
前記ハウジングに固持される固持部と一対の弾力ビームを有する当接部と半田接続部とを含む第１検出端子と、前記ハウジングに固持される固定部と前記当接部に接離可能な突出部と半田接続片とを含む第２検出端子と、を含む検出部材と、を備え、
電子カードが挿入される時、前記第２検出端子の前記突出部が前記第１検出端子の前記一対の弾力ビームの間に嵌合されることを特徴とするカードコネクタ。
【請求項２】
前記第２検出端子は、電子カードに押圧可能な弾力部を含み、
前記突出部が、該弾力部の自由端に設けられることを特徴とする請求項１に記載のカードコネクタ。
【請求項３】
前記第１検出端子の前記固持部が、前記当接部と前記半田接続部とを連接することを特徴とする請求項１に記載のカードコネクタ。
【請求項４】
前記第１検出端子の弾力ビームは、互いに接近してネック構造に形成され、前記第２検出端子の前記突出部が前記第１検出端子の前記当接部と接触する時、前記突出部が該ネック構造に挟まれることを特徴とする請求項１に記載のカードコネクタ。
【請求項５】
前記一対の弾力ビームには、前記突出部を導入するガイド部が設けられることを特徴とする請求項４に記載のカードコネクタ。
【請求項６】
前記第２検出端子の前記固定部は、前記半田接続片と前記弾力部とを連接することを特徴とする請求項１に記載のカードコネクタ。
【請求項７】
前記ハウジングには、前記第１検出端子の前記固持部を固持する定位溝と、前記第１検出端子の前記弾力ビームによって包囲される嵌合溝に嵌め込まれる定位部と、前記第２検出端子の前記固定部を固持する固持溝と、が設けられることを特徴とする請求項１に記載のカードコネクタ。
【請求項８】
前記ハウジングには、前記電子カードが挿入される挿入溝が形成され、
前記導電端子は、前記挿入溝に向かって突出する接触部と、前記端子溝に収納される連接部と、半田接続脚と、を有することを特徴とする請求項１に記載のカードコネクタ。
【請求項９】
前記ハウジングは、複数の係合溝と係合孔とが形成される下ハウジングと、それぞれ前記係合溝と前記係合孔と係合する係合部と凸柱とが設けられる上ハウジングと、を備えることを特徴とする請求項８に記載のカードコネクタ。
【請求項１０】
前記挿入溝が、前記下ハウジングに形成され、
前記上ハウジングには、前記電子カードを導入する一対の導入溝が形成されることを特徴とする請求項９に記載のカードコネクタ。
【考案の詳細な説明】
【技術分野】
【０００１】
本考案は、電子カードが挿入されることに用いられ、検出部材を含むカードコネクタに関するものである。
【背景技術】
【０００２】
従来技術のとして、特許文献１に開示された電子カードが挿入されることに用いられるカードコネクタが知られ、このカードコネクタは、ハウジングと、複数の導電端子と、検出部材とを備える。ハウジングには、導電端子を収納するための端子溝が形成される。検出部材は、第１、第２検出端子を含む。該第１、第２検出端子には、それぞれハウジングに固持される固持部と、ハウジングから離れる半田接続部とを含む。第１検出端子には、接触部が設けられる。第２検出端子には係合部が設けられる。初初期状態において、第２検出端子の係合部の一端が第１検出端子の接触部と接触する。電子カードが挿入される或いは脱出される過程で、前記係合部が前記接触部から離れる或いは接触することによって、電子カードが挿入されたか否かを検出できる。
【特許文献１】米国特許第５０１３２５５号明細書
【考案の開示】
【考案が解決しようとする課題】
【０００３】
第２検出端子が第１検出端子と接触する時、第２検出端子の係合部は、一端が第１検出端子の接触部と接触する。第１検出端子と第２検出端子との間の電気接続が不安定である。又、接触部と係合部との表面には、埃が付着される。第１検出端子と第２検出端子との間の電気接続が、更に不安定になる。これにより、検出部材は、安定な検出効果が得られない。
【０００４】
そこで本考案の目的は、上述の従来技術の問題に鑑み、安定な検出効果が得られる検出部材を含むカードコネクタを提供することにある。
【課題を解決するための手段】
【０００５】
本考案のカードコネクタは、複数の端子溝が形成されるハウジングと、ハウジングの端子溝に収納される複数の導電端子と、検出部材とを備える。前記検出部材は、ハウジングに固持される固持部と一対の弾力ビームを有する当接部と半田接続部とを含む第１検出端子と、ハウジングに固持される固定部と前記当接部に接離可能な突出部と半田接続片とを含む第２検出端子とを含む。電子カードが挿入される時、前記第２検出端子の突出部が前記第１検出端子の一対の弾力ビームの間に嵌合される。
【考案の効果】
【０００６】
従来の技術に比較して、本考案は以下の効果を有する。本考案の第２検出端子の突出部は、第１検出端子の一対の弾力ビームに挟まれることによって、該一対の弾力ビームの間に固持される。これにより、第１、第２検出端子の間の電気接続が確保できる。又、電子カードを挿抜する過程で、突出部が一対の弾力ビームの間に出入する。これにより、第１、第２検出端子に付着される埃が、取り除かれる。第１、第２検出端子の間の電気接続が更に確保できる。これにより、該検出部材は、安定した検出効果が得られる。
【考案を実施するための最良の形態】
【０００７】
以下、この考案の実施の形態を添付の図を参照して説明する。
【０００８】
図１乃至図８を参照すると、本考案のカードコネクタ１００は、上ハウジング２と下ハウジング１によって製造されるハウジング１０と、ハウジング１０に装着される複数の導電端子３と、ハウジング１０に実装される検出部材４０と、を備える。
【０００９】
図３及び図４において、ハウジング１０のほぼ矩形の下ハウジング１には、複数の端子溝１４１が形成される基部１４が設けられる。基部１４の上には、電子カード２００を挿入するための挿入溝１５が形成される。図６を参照すると、基部１４のそばには、定位溝１１と、定位溝１１と部分に重なる固持溝１２とが形成される。定位溝１１の内には、定位部１８が設けられる。固持溝１２の両側には、スロット１２１が形成される。下ハウジング１の両側には、複数の係合溝１６と、複数の係合孔１７とを有する。下ハウジング１の両側の底部には、下向きに延在する複数の固定柱１３が設けられる。上ハウジング２の前端には、電子カード２００を導入するための一対の導入溝２５が形成される。上ハウジング２の両側には、下向きに延在する複数の係合部２６と凸柱２７が設けられる。
【００１０】
各導電端子３は、上向きに突出する接触部３１と、下向きに延在する半田接続脚３３と、接触部３１と半田接続脚３３とを連接する連接部３２とを含む。
【００１１】
図５に示すように、検出部材４０は、第１、第２検出端子４、５を含む。第１検出端子４は、固持部４２と、固持部４２から前向きに延在する当接部４１と、固持部４２から下向きに延在する半田接続部４３とを含む。前記当接部４１は、前記固持部４２から折り曲がれる一対の弾力ビーム４１２を有する。前記一対の弾力ビーム４１２それぞれの前端は、互いに接近してネック構造４１３に形成される。一対の弾力ビーム４１２の下には、ガイド部４１４が設けられる。
【００１２】
第２検出端子５は、片状の固定部５２と、固定部５２から上向きに突出する弾力部５１と、弾力部５１の自由端から突出する突出部５１３と、固定部５２から下向きに延在する半田接続片５３とを備える。
【００１３】
図１乃至図６に示すように、該カードコネクタ１００の組み立て時、先ず、複数の導電端子３が下ハウジング１の端子溝１４１に挿入される。検出部材４０の第１、第２検出端子４，５が、それぞれ下ハウジング１の定位溝１１と固持溝１２とに装入される。下ハウジング１の定位部１８は、第１検出端子４の一対の弾力ビーム４１２によって包囲される嵌合溝４１５に嵌め込まれる。第２検出端子５の固定部５２が、前記スロット１２１に沿って挿入される。第１、第２検出端子４，５の半田接続部４３と半田接続片５３とは、定位溝１１と固持溝１２とから下向きに延在する。最後、上ハウジング２は、下ハウジング１に被覆される。上ハウジング２の係合部２６と凸柱２７とは、それぞれ下ハウジング１の係合溝１６と係合孔１７に嵌め込まれる。
【００１４】
図７を参照すると、電子カード２００が挿入されない時のカードコネクタ１００の第２検出端子５の突出部５１３は、第１検出端子４の一対の弾力ビーム４１２の間に嵌合される。第２検出端子５は、第１検出端子４と電気接続する。
【００１５】
図８を参照すると、電子カード２００が導入溝２５に沿ってカードコネクタ１００の挿入溝１５に挿入された後、第２検出端子５の弾力部５１は、電子カード２００に押圧されることによって下向きに移動する。第２検出端子５の突出部５１３は、弾力部５１に伴って下向きに移動して第１検出端子４のネック構造４１３から離れる。これにより、第２検出端子５は、第１検出端子４と電気接続しない。
【００１６】
電子カード２００がカードコネクタ１００から脱出する時、電子カード２００に押圧されない第２検出端子５の弾力部５１は、自体の弾力によって元の状態に回復する。第２検出端子５の突出部５１３は、上向きに移動して第１検出端子４のガイド部４１４に沿ってネック構造４１３に入って一対の弾力ビーム４１２の間に嵌合される。これにより、第２検出端子５は、第１検出端子４と電気接続する。
【００１７】
第２検出端子５の突出部５１３は、第１検出端子４の一対の弾力ビーム４１２に挟まれることによって、該一対の弾力ビーム４１２の間に固持される。これにより、第１、第２検出端子４、５の間の電気接続が確保できる。又、電子カード２００が挿抜する過程で、突出部５１３が一対の弾力ビーム４１２の間に移動する。これにより、第１、第２検出端子４，５に付着される埃が、取り除かれる。第１、第２検出端子４、５の間の電気接続が、更に確保できる。これにより、該検出部材４０は、安定な検出効果が得られる。
【００１８】
以上、本考案について最良の実施の形態を参照し詳細に説明したが、実施形態はあくまでも例示的なものであり、これらに限定されるものではない。また前記の説明、本考案に基づきなし得る細部の修正或いは変更などは、いずれも本考案の実用新案登録請求の範囲に属するものである。
【図面の簡単な説明】
【００１９】
【図１】本考案のカードコネクタと電子カードの斜視図である。
【図２】図１に示す上ハウジングが実装されない時のカードコネクタの斜視図である。
【図３】図１に示すカードコネクタの分解斜視図である。
【図４】図１に示すカードコネクタの他の分解斜視図である。
【図５】図３に示す検出部材の分解斜視図である。
【図６】図３に示す下ハウジングの標号される部分の拡大図である。
【図７】電子カードが挿入されない時の検出部材の斜視図である。
【図８】電子カードが挿入される時の検出部材の斜視図である。
【符号の説明】
【００２０】
１  下ハウジング
２  上ハウジング
３  導電端子
４  第１検出端子
５  第２検出端子
１０  ハウジング
１１  定位溝
１２  固持溝
１３  固定柱
１４  基部
１５  挿入溝
１６  係合溝
１７  係合孔
１８  定位部
２５  導入溝
２６  係合部
２７  凸柱
３１  接触部
３２  連接部
３３  半田接続脚
４０  検出部材
４１  当接部
４２  固持部
４３  半田接続部
５１  弾力部
５２  固定部
５３  半田接続片
１００  カードコネクタ
１２１  スロット
１４１  端子溝
２００  電子カード
４１２  弾力ビーム
４１３  ネック構造
４１４  ガイド部
４１５  嵌合溝
５１３  突出部
【図１】
0003141134.tif 000003
【図２】
0003141134.tif 000004
【図３】
0003141134.tif 000005
【図４】
0003141134.tif 000006
【図５】
0003141134.tif 000007
【図６】
0003141134.tif 000008
【図７】
0003141134.tif 000009
【図８】
0003141134.tif 000010